(57)【要約】【課題】建物の空間の高さを効率的に調整することが可能となる、支持装置及び多層建物を提供すること。【解決手段】支持装置は、上下方向に向けて並設された第１床部１１ａ〜１１ｄを昇降可能に支持するための支持装置であって、上下方向に向けてそれぞれ移動可能に設けられ、且つ相互に同心状に配置された第２シリンダ部４０から第５シリンダ部７０であって、当該第２シリンダ部４０から第５シリンダ部７０の各々が第１床部１１ａ〜１１ｄのうちそれぞれ異なる床部と接続されている第２シリンダ部４０から第５シリンダ部７０と、第２シリンダ部４０から第５シリンダ部７０のうち隣接するシリンダ部同士の相互間に流体を流入出させることによって、第２シリンダ部４０から第５シリンダ部７０の少なくともいずれか１つが上下方向に向けて移動することにより、第１床部１１ａ〜１１ｄの少なくともいずれか１つを昇降させる昇降機構８０と、を備えている。【選択図】図２
2018204387.tif 000002
【特許請求の範囲】
【請求項１】
多層建物を構成する複数の床部であり、上下方向に向けて並設された複数の床部を昇降可能に支持するための支持装置であって、
上下方向に向けてそれぞれ移動可能に設けられ、且つ相互に同心状に配置された少なくとも２つ以上のシリンダ部であって、当該少なくとも２つ以上のシリンダ部の各々が前記複数の床部のうちそれぞれ異なる前記床部と接続されている少なくとも２つ以上のシリンダ部と、
前記少なくとも２つ以上のシリンダ部のうち隣接するシリンダ部同士の相互間に流体を流入出させることによって、前記少なくとも２つ以上のシリンダ部の少なくともいずれか１つが上下方向に向けて移動することにより、前記複数の床部の少なくともいずれか１つを昇降させる昇降手段と、
を備えた支持装置。
【請求項２】
前記昇降手段は、
前記隣接するシリンダ部同士の相互間に設けられた弁体であって、当該相互間に前記流体を流入出させるか否かを切り替え可能な弁体と、
前記弁体を制御するための弁体制御手段と、を備えた、
請求項１に記載の支持装置。
【請求項３】
上下方向に向けて並設された複数の床部と、
前記請求項１又は２に記載の少なくとも１つ以上の支持装置であって、前記複数の床部を昇降可能に支持するための支持装置と、
を備えた多層建物。
【発明の詳細な説明】
【技術分野】
【０００１】
本発明は、支持装置、及び多層建物に関する。
【背景技術】
【０００２】
従来、建物の空間の高さを調整する技術の一つとして、複数の階層からなる建物において、高さを調整したい階層（以下、「対象階層」と称する）の床部に設置されたジャッキを用いて対象階層よりも１つ上の階層（以下、「隣接階層」と称する）の床部を昇降させることにより、対象階層の高さを調整する技術が提案されている。
【先行技術文献】
【特許文献】
【０００３】
【特許文献１】特開２００４−３３９７４５号公報
【発明の概要】
【発明が解決しようとする課題】
【０００４】
しかしながら、上記従来の技術においては、対象階層の床部に設置されたジャッキを用いて隣接階層の床部を昇降させるので、例えば、対象階層が複数存在する場合には、各対象階層の床部にジャッキをそれぞれ設置して、各対象階層に対応する隣接階層の床部をそれぞれ昇降させる必要があることから、当該昇降させる作業に多大な手間及び時間を要する可能性があった。よって、建物の空間の高さを効率的に調整する観点からは改善の余地があった。
【０００５】
本発明は、上記に鑑みてなされたものであって、建物の空間の高さを効率的に調整することが可能となる、支持装置及び多層建物を提供することを目的とする。
【課題を解決するための手段】
【０００６】
上述した課題を解決し、目的を達成するために、請求項１に記載の支持装置は、多層建物を構成する複数の床部であり、上下方向に向けて並設された複数の床部を昇降可能に支持するための支持装置であって、上下方向に向けてそれぞれ移動可能に設けられ、且つ相互に同心状に配置された少なくとも２つ以上のシリンダ部であって、当該少なくとも２つ以上のシリンダ部の各々が前記複数の床部のうちそれぞれ異なる前記床部と接続されている少なくとも２つ以上のシリンダ部と、前記少なくとも２つ以上のシリンダ部のうち隣接するシリンダ部同士の相互間に流体を流入出させることによって、前記少なくとも２つ以上のシリンダ部の少なくともいずれか１つが上下方向に向けて移動することにより、前記複数の床部の少なくともいずれか１つを昇降させる昇降手段と、を備えた。
【０００７】
請求項２に記載の支持装置は、請求項１に記載の支持装置において、前記昇降手段は、前記隣接するシリンダ部同士の相互間に設けられた弁体であって、当該相互間に前記流体を流入出させるか否かを切り替え可能な弁体と、前記弁体を制御するための弁体制御手段と、を備えた。
【０００８】
請求項３に記載の多層建物は、上下方向に向けて並設された複数の床部と、前記請求項１又は２に記載の少なくとも１つ以上の支持装置であって、前記複数の床部を昇降可能に支持するための支持装置と、を備えた。
【発明の効果】
【０００９】
請求項１に記載の支持装置、及び請求項３に記載の多層建物によれば、上下方向に向けてそれぞれ移動可能に設けられた少なくとも２つ以上のシリンダ部と、少なくとも２つ以上のシリンダ部のうち隣接するシリンダ部同士の相互間に流体を流入出させることによって、少なくとも２つ以上のシリンダ部の少なくともいずれか１つが上下方向に向けて移動することにより、複数の床部の少なくともいずれか１つを昇降させる昇降手段と、を備えているので、多層建物を構成する複数の床部の高さを調整する場合に、従来技術（対象となる階層に設置されたジャッキを用いて当該対象となる階層と隣接する階層の床部を昇降させる技術）に比べて、当該調整に要する手間及び時間を低減することができ、建物の空間（具体的には、建物の内部空間や外部空間等）の高さを効率的に調整することが可能となる。また、少なくとも２つ以上のシリンダ部を相互に同心状に配置しているので、支持装置のコンパクト化を図ることが可能となる。
【００１０】
請求項２に記載の支持装置によれば、昇降手段が、隣接するシリンダ部同士の相互間に設けられた弁体であって、当該相互間に流体を流入出させるか否かを切り替え可能な弁体と、弁体を制御するための弁体制御手段と、を備えたので、弁体の切り替えを容易且つ迅速に行うことができ、当該切り替えに要する手間を低減することが可能となる。
【図面の簡単な説明】
【００１１】
【図１】本発明の実施の形態に係る多層建物が設けられた対象領域を側方から簡略的に示す概要図である（一部断面図で示す）。
【図２】第１支持装置の作動状態を示す図であり（一部断面図で示す）、（ａ）は第２シリンダ部から第５シリンダ部の各々が最下方に位置している状態を示す図、（ｂ）は第５シリンダ部のみを上方に移動させた状態を示す図、（ｃ）は第４シリンダ部及び第５シリンダ部を上方に移動させた状態を示す図、（ｄ）は第２シリンダ部から第５シリンダ部を上方に移動させた状態を示す図である。
【図３】図２（ｄ）の第１シリンダ部及び第２シリンダ部の拡大図である（一部図示省略）。
【図４】図３のＡ−Ａ矢視断面図である。
【図５】図２（ａ）の第２弁体及び第３弁体周辺の拡大図であり、（ａ）は、弁方式の弁体を示す図であり、（ｂ）は回転筒方式の弁体を示す図であり、（ｃ）は（ｂ）とは異なる回転筒方式の弁体を示す図である。
【図６】図５（ｂ）の弁体の回転状態を示す図であり、（ａ）は、図５（ｂ）の第２弁体の回転状態を示す図であり、（ｂ）は、図５（ｂ）の第３弁体の回転状態を示す図である。
【図７】多層建物の空間の高さを第２状態に調整したことを示す図である（一部断面図で示す）。
【発明を実施するための形態】
【００１２】
以下に添付図面を参照して、この発明に係る支持装置、及び多層建物の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１３】
〔Ｉ〕実施の形態の基本的概念
まず、実施の形態の基本的概念について説明する。各実施の形態は、多層建物を構成する複数の床部であり、上下方向に向けて並設された複数の床部を昇降可能に支持するための支持装置、及び当該支持装置を備える多層建物に関する。ここで、「多層建物」とは、複数の階層を有する建物を意味し、例えば、多目的スペースを一時的に作り出すことが可能な建物等が該当する。また、「多目的スペース」の種類については、例えば、イベントスペース（一例として、会場スペース、競技スペース等）、コミュニティスペース（一例として、植栽スペース等）、駐車スペース、事業スペース、避難スペース、倉庫スペース等が該当する。また、「多層建物」の設置場所については、例えば、公園、緑地、広場、屋外競技場、屋外球技場、建物の屋上等の外部空間や、体育館、屋内競技場、屋内球技場、コンサートホール等の内部空間を含む概念であるが、実施の形態では、公園として説明する。
【００１４】
〔ＩＩ〕実施の形態の具体的内容
次に、実施の形態の具体的内容について説明する。
【００１５】
（構成−設置場所）
最初に、実施の形態に係る多層建物が設置される設置場所の構成について説明する。図１は、本発明の実施の形態に係る多層建物が設けられた対象領域を側方から簡略的に示す概要図である（一部断面図で示す）。以下では、必要に応じて、各図におけるＸ方向を「幅方向（又は左右方向）」と称し、特に＋Ｘ方向を「右方向」、−Ｘ方向を「左方向」と称する。また、Ｙ方向を「奥行き方向（又は前後方向）」と称し、特に＋Ｙ方向を「前方向」、−Ｙ方向を「後方向」と称する。また、Ｚ方向を「高さ方向（又は上下方向）」と称し、特に＋Ｚ方向を「上方向」、−Ｚ方向を「下方向」と称する。また、後述する各種のシリンダ部における平面環状中心位置から当該シリンダ部の各部に至る方向であってＸ−Ｙ平面に沿った方向を「径方向」と称する。
【００１６】
図１に示すように、多層建物１は、公園の領域のうち、所定の領域（以下、「第１領域Ａ１」と称する）全体に形成された凹部２に設置されている。凹部２は、多層建物１を収容可能な空間部であり、図１に示すように、最下部に設けられた底部２ａであって多層建物１が載置される底部２ａと、底部２ａの外縁部から上方（＋Ｚ方向）に向けて立設された側壁部２ｂとを備えている。この凹部２の具体的な形状及び大きさについては任意であるが、例えば、以下のように設定されている。すなわち、凹部２の平面形状（Ｘ−Ｙ平面）については、左右方向に長い長方形状であって、後述する多層建物１の各床部（具体的には、第１床部１１ｄ、第２床部１２ｄ、第３床部１３ｄ、及び第４床部１４ｄ）を左右方向（Ｘ方向）に略沿って並設配置することが可能な大きさに設定されている。ただし、これに限らず、例えば、多層建物１は、第１領域Ａ１以外の領域であって凹部２が形成されていない領域（一例として、第１領域Ａ１の左側に隣接する図１の第２領域Ａ２や、第１領域Ａ１の右側に隣接する図１の第３領域Ａ３等）において地表から完全に露出するように設置されてもよい。
【００１７】
（構成−多層建物）
次に、実施の形態に係る多層建物１の構成について説明する。図１に示すように、多層建物１は、第１床部１１ａ〜１１ｄ、第２床部１２ａ〜１２ｄ、第３床部１３ａ〜１３ｄ、第４床部１４ａ〜１４ｄ、第１支持装置２１、第２支持装置２２、第３支持装置２３、及び第４支持装置２４を備えている。
【００１８】
また、図１の多層建物１の空間の高さを調整した状態については、以下に示す通りに第１状態に設定されている。すなわち、まず、後述する第１支持装置２１、第２支持装置２２、第３支持装置２３、及び第４支持装置２４の各々のシリンダ部の一部を上下方向（Ｚ方向）に移動させることにより、第１床部１１ａ〜１１ｄ、第２床部１２ａ〜１２ｄ、第３床部１３ａ〜１３ｄ、及び第４床部１４ａ〜１４ｄのうち最上位階層に対応する床部（具体的には、第１床部１１ｄ、第２床部１２ｄ、第３床部１３ｄ、及び第４床部１４ｄ）が地表面に対して面一となるように位置している。また、第４床部１４ａ〜１４ｄの最下位階層の床部（具体的には、第４床部１４ａ）のみが凹部２の底部２ａに近接するように位置している。
【００１９】
（構成−多層建物−第１床部、第２床部、第３床部、第４床部）
まず、第１床部１１ａ〜１１ｄ、第２床部１２ａ〜１２ｄ、第３床部１３ａ〜１３ｄ、及び第４床部１４ａ〜１４ｄの構成について説明する。ただし、これら第１床部１１ａ〜１１ｄ、第２床部１２ａ〜１２ｄ、第３床部１３ａ〜１３ｄ、及び第４床部１４ａ〜１４ｄの各々の構成はそれぞれ略同一であるので、以下では、第１床部１１ａ〜１１ｄの構成のみについて説明することとする。
【００２０】
第１床部１１ａ〜１１ｄは、多層建物１を構成する床である。図１に示すように、これら第１床部１１ａ〜１１ｄは、相互に間隔を隔てて上下方向（Ｚ方向）に向けて並設されており、具体的には、下方（−Ｚ方向）から上方（＋Ｚ方向）に向けて第１床部１１ａ〜１１ｄの順に並設されている。
【００２１】
また、これら第１床部１１ａ〜１１ｄの具体的な構成については任意であるが、実施の形態では、第１床部１１ａ〜１１ｄの各々が公知の床構造を用いて構成されており、例えば、長尺な鋼製（又は鉄筋コンクリート製）の梁であって、当該桁部の長手方向が左右方向（Ｘ方向）又は前後方向（Ｙ方向）に略沿うように少なくとも１つ以上設けられた梁（一例として、Ｉ形鋼、Ｈ形鋼等）と、鋼製（又は鉄筋コンクリート製）の平板状のパネル部（一例として、デッキプレート等）であって、梁によって支持されたパネル部とを備えて構成されている（いずれも図示省略）。
【００２２】
また、これら第１床部１１ａ〜１１ｄの具体的な形状及び大きさについては任意であるが、実施の形態では、まず、第１床部１１ａ〜１１ｄの平面形状が矩形状となるように形成されている。また、第１床部１１ａ〜１１ｄの左右方向（Ｘ方向）の長さ、第１床部１１ａ〜１１ｄの前後方向（Ｙ方向）の長さ、及び第１床部１１ａ〜１１ｄの上下方向（Ｚ方向）の厚さが、それぞれ略同一になるように形成されている。また、これらの具体的な長さについては、第１床部１１ａ〜１１ｄの材質に応じて異なり得ることから、計算結果等に基づいて設定されている。一例として、第１床部１１ａ〜１１ｄの左右方向（Ｘ方向）及び前後方向の長さが５０００ｍｍ〜１５０００ｍｍ程度の長さに設定され、第１床部１１ａ〜１１ｄの上下方向（Ｚ方向）の長さが３００ｍｍ〜６００ｍｍ程度の長さに設定されている。ただし、上述した具体的な形状及び大きさに限らず、例えば、第１床部１１ａ〜１１ｄの平面形状が矩形状以外の形状（一例として、三角形状、五角形状等の多角形状、円形状、楕円形状等）となるように形成されてもよい。また、第１床部１１ａ〜１１ｄの左右方向（Ｘ方向）の長さ、第１床部１１ａ〜１１ｄの前後方向（Ｙ方向）の長さ、及び第１床部１１ａ〜１１ｄの上下方向（Ｚ方向）の長さがそれぞれ異なるように形成されてもよい。
【００２３】
（構成−多層建物−第１支持装置、第２支持装置、第３支持装置、第４支持装置）
次に、第１支持装置２１、第２支持装置２２、第３支持装置２３、第４支持装置２４の構成について説明する。第１支持装置２１は、第１床部１１ａ〜１１ｄを昇降可能に支持するための装置であり、第２支持装置２２は、第２床部１２ａ〜１２ｄを昇降可能に支持するための装置であり、第３支持装置２３は、第３床部１３ａ〜１３ｄを昇降可能に支持するための装置であり、第４支持装置２４は、第４床部１４ａ〜１４ｄを昇降可能に支持するための装置である。ただし、これら第１支持装置２１、第２支持装置２２、第３支持装置２３、第４支持装置２４の各々の構成はそれぞれ略同一であるので、以下では、第１支持装置２１の構成のみについて説明することとする。図２は、第１支持装置２１の作動状態を示す図であり（一部断面図で示す）、（ａ）は第２シリンダ部４０から第５シリンダ部７０の各々が最下方に位置している状態を示す図、（ｂ）は第５シリンダ部７０のみを上方に移動させた状態を示す図、（ｃ）は第４シリンダ部６０及び第５シリンダ部７０を上方に移動させた状態を示す図、（ｄ）は第２シリンダ部４０から第５シリンダ部７０を上方に移動させた状態を示す図である。図３は、図２（ｄ）の第１シリンダ部３０及び第２シリンダ部４０の拡大図である（一部図示省略）。図４は、図３のＡ−Ａ矢視断面図である。
【００２４】
第１支持装置２１は、図２に示すように、第１シリンダ部３０、第２シリンダ部４０、第３シリンダ部５０、第４シリンダ部６０、第５シリンダ部７０、及び昇降機構８０を備えている。また、これら第１シリンダ部３０、第２シリンダ部４０、第３シリンダ部５０、第４シリンダ部６０、及び第５シリンダ部７０の設置方法については、実施の形態では、図２に示すように、これらシリンダ部を相似形状（図２では、径が異なる円筒状）であり、相互に同心状に配置しており、具体的には、下方（−Ｚ方向）から上方（＋Ｚ方向）に向けて第１シリンダ部３０から第５シリンダ部７０に至る順に配置し、且つ入れ子状に多重化して配置している。
【００２５】
（構成−多層建物−第１支持装置、第２支持装置、第３支持装置、第４支持装置−第１シリンダ部）
第１シリンダ部３０は、第２シリンダ部４０を収容するものである。この第１シリンダ部３０は、例えば鋼製の長尺な中空状体（一例として、中空状の円柱体等）にて形成されており、例えば、当該第１シリンダ部３０の外径の大きさが５００ｍｍ〜８００ｍｍ程度に設定され、当該第１シリンダ部３０の上下方向（Ｚ方向）の長さが５０００ｍｍ〜１５０００ｍｍ程度の長さに設定されている。また、図２に示すように、この第１シリンダ部３０は、当該第１シリンダ部３０の長手方向が上下方向（Ｚ方向）に略沿うように配置されており、当該第１シリンダ部３０の一部が第１領域Ａ１における凹部２の底部２ａに埋設固定されている。
【００２６】
また、図２、図３に示すように、この第１シリンダ部３０には、仕切部３１、第１流入出口３２、第２流入出口３３、挿通口３４、一対のガイド溝部３５、及びストッパ部３６が設けられている。
【００２７】
仕切部３１は、第１シリンダ部３０内の空間を２つの空間（図２では、第２シリンダ部４０を収容する第１収容空間３７と、後述するポンプ部又は第１収容空間３７から流入した後述する流体を一時的に収容する第２収容空間３８）に区分するためのものである。この仕切部３１は、例えば鋼製の板状体にて形成されており、図２に示すように、第１シリンダ部３０内の下方側に位置するように設けられている。
【００２８】
第１流入出口３２は、後述するポンプ部から送られた後述する流体を第２収容空間３８に流入させ、且つ第２収容空間３８に収容された後述する流体を後述するポンプ部に流出させるための開口であり、第１シリンダ部３０の側壁部（図２では、側壁部のうち仕切部３１よりも下方側（−Ｚ方向側）の部分）に設けられている。
【００２９】
第２流入出口３３は、第２収容空間３８に収容された後述する流体を第１収容空間３７に流入させ、且つ第１収容空間３７に収容された後述する流体を第２収容空間３８に流出させるための開口であり、仕切部３１（図２では、仕切部３１の略中央部分）に設けられている。
【００３０】
挿通口３４は、第１シリンダ部３０の上端部から第２シリンダ部４０を第１シリンダ部３０の内部に挿通するための開口であり、第１シリンダ部３０の上端部に設けられている。
【００３１】
一対のガイド溝部３５は、第２シリンダ部４０を上下方向（Ｚ方向）に略沿って移動するように案内するためのガイド手段である。これら一対のガイド溝部３５は、図３、図４に示すように、第１シリンダ部３０の側壁部において径方向の内側に向けて凹状に形成されており、相互に対向するように設けられている。また、一対のガイド溝部３５の一方は、第１シリンダ部３０の側壁部の左方側（−Ｘ方向側）の部分において上下方向（Ｚ方向）の略全長にわたって形成されており、一対のガイド溝部３５の他方は、第１シリンダ部３０の側壁部の右方側（＋Ｘ方向側）の部分において上下方向（Ｚ方向）の略全長にわたって形成されている。このような一対のガイド溝部３５により、第２シリンダ部４０がＺ方向に沿う軸の軸回りに回転することを防止しながら、第２シリンダ部４０を上下方向（Ｚ方向）に略沿って移動させることができる。
【００３２】
ストッパ部３６は、第２シリンダ部４０が上方（＋Ｚ方向）に向けて移動している際に、当該第２シリンダ部４０が第１シリンダ部３０から抜け落ちることを防止するための抜け落ち防止手段である。このストッパ部３６は、第１シリンダ部３０の上端部における挿通口３４の縁端部から径方向の内側に向けて突出するように設けられており、具体的には、第２シリンダ部４０の上下方向（Ｚ方向）の移動を妨げることなく、ストッパ部３６が後述する第２シリンダ部４０の下側ストッパと当接可能な位置及び形状に形成されている（なお、後述する第２シリンダ部４０、後述する第３シリンダ部５０、及び後述する第４シリンダ部６０の各々の上側ストッパ部の具体的な形状についても略同様とする）。
【００３３】
（構成−多層建物−第１支持装置、第２支持装置、第３支持装置、第４支持装置−第２シリンダ部）
図２に戻り、第２シリンダ部４０は、第３シリンダ部５０を収容しながら、上下方向（Ｚ方向）に移動する移動体であり、第１シリンダ部３０と略同様に構成されている。また、図２に示すように、この第２シリンダ部４０は、当該第２シリンダ部４０の一部が第１シリンダ部３０の内部に収容されており、当該第２シリンダ部４０の長手方向が上下方向（Ｚ方向）に略沿うように配置されていると共に、上下方向（Ｚ方向）に沿って移動可能に配置されている。そして、この第２シリンダ部４０は、第１床部１１ａと接続されている。
【００３４】
また、図２から図４に示すように、この第２シリンダ部４０には、流入出口４１、弁体収容部４２、挿通口４３、一対のガイド溝部４４、下側ストッパ部４５、及び上側ストッパ部４６が設けられている。
【００３５】
流入出口４１は、第１シリンダ部３０から送られた後述する流体を第２シリンダ部４０に流入させ、且つ第２シリンダ部４０に収容された後述する流体を第１シリンダ部３０に流出させるための開口であり、第２シリンダ部４０の下端部（図２では、当該下端部の略中央部分）に設けられている。
【００３６】
弁体収容部４２は、後述する昇降機構８０の第１弁体８１を収容する収容手段である。この弁体収容部４２は、例えば鋼製の筒状体（一例として円筒状体）にて形成されており、一例として、弁体収容部４２の外径が第２シリンダ部４０の外径よりも小さく、且つ弁体収容部４２の上下方向（Ｚ方向）の長さが第２シリンダ部４０の上下方向（Ｚ方向）の長さよりも短くなるように形成されている。また、図２に示すように、この弁体収容部４２は、第１シリンダ部３０と第２シリンダ部４０との相互間に設けられており、具体的には、弁体収容部４２の上端部が流入出口４１と対応するように、弁体収容部４２の軸方向が上下方向（Ｚ方向）に略沿うように設けられている。
【００３７】
挿通口４３は、第２シリンダ部４０の上端部から第３シリンダ部５０を第２シリンダ部４０の内部に挿通するための開口であり、第２シリンダ部４０の上端部に設けられている。
【００３８】
一対のガイド溝部４４は、第２シリンダ部４０や第３シリンダ部５０を上下方向（Ｚ方向）に略沿って移動するように案内するためのガイド手段である。これら一対のガイド溝部４４は、第２シリンダ部４０の側壁部において径方向の内側に向けて凹状に形成されており、図３、図４に示すように、第１シリンダ部３０の一対のガイド溝部４４のいずれか一方と対向するように配置されている。
【００３９】
図３に戻り、下側ストッパ部４５は、第２シリンダ部４０が上方（＋Ｚ方向）に向けて移動している際に、当該第２シリンダ部４０が第１シリンダ部３０から抜け落ちることを防止するための抜け落ち防止手段である。この下側ストッパ部４５は、第２シリンダ部４０の側壁部の下端部（又はその近傍部分）から径方向の内側に向けて突出するように設けられており、図３に示すように、第１シリンダ部３０のストッパ部３６と当接可能な位置に設けられている（なお、後述する第３シリンダ部５０、及び後述する第４シリンダ部６０の各々の下側ストッパ部の構成、並びに後述する第５シリンダ部７０のストッパ部の構成についても略同様とする）。
【００４０】
上側ストッパ部４６は、第３シリンダ部５０が上方（＋Ｚ方向）に向けて移動している際に、当該第３シリンダ部５０が第２シリンダ部４０から抜け落ちることを防止するための抜け落ち防止手段である。この上側ストッパ部４６は、第２シリンダ部４０の上端部における挿通口４３の縁端部から径方向の内側に向けて突出するように設けられており、図３に示すように、後述する第３シリンダ部５０の下側ストッパと当接可能な位置に設けられている。
【００４１】
（構成−多層建物−第１支持装置、第２支持装置、第３支持装置、第４支持装置−第３シリンダ部）
図２に戻り、第３シリンダ部５０は、第４シリンダ部６０を収容しながら、上下方向（Ｚ方向）に移動する移動体であり、第２シリンダ部４０と略同様に構成されている。また、図２に示すように、この第３シリンダ部５０は、当該第３シリンダ部５０の一部が第２シリンダ部４０の内部に収容されており、当該第３シリンダ部５０の長手方向が上下方向（Ｚ方向）に略沿うように配置されていると共に、上下方向（Ｚ方向）に沿って移動可能に配置されている。そして、この第３シリンダ部５０は、第１床部１１ｂに形成された取付孔（図示省略）に挿通された状態で当該第１床部１１ｂと接続されている。
【００４２】
また、図２に示すように、この第３シリンダ部５０には、流入出口５１、後述する第２弁体８２を収容する弁体収容部５２、挿通口５３、一対のガイド溝部（図示省略）、下側ストッパ部（図示省略）、及び上側ストッパ部（図示省略）が設けられている。なお、これら流入出口５１、弁体収容部５２、挿通口５３、一対のガイド溝部、下側ストッパ部、及び上側ストッパ部は、第２シリンダ部４０の同一名称の構成要素と略同一に構成されているので、その詳細な説明を省略する。
【００４３】
（構成−多層建物−第１支持装置、第２支持装置、第３支持装置、第４支持装置−第４シリンダ部）
第４シリンダ部６０は、第５シリンダ部７０を収容しながら、上下方向（Ｚ方向）に移動する移動体であり、第２シリンダ部４０と略同様に構成されている。また、図２に示すように、この第４シリンダ部６０は、当該第４シリンダ部６０の一部が第３シリンダ部５０の内部に収容されており、当該第４シリンダ部６０の長手方向が上下方向（Ｚ方向）に略沿うように配置されていると共に、上下方向（Ｚ方向）に沿って移動可能に配置されている。そして、この第４シリンダ部６０は、第１床部１１ｃに形成された取付孔（図示省略）に挿通された状態で当該第１床部１１ｃと接続されている。
【００４４】
また、図２に示すように、この第４シリンダ部６０には、流入出口６１、後述する第３弁体８３を収容する弁体収容部６２、挿通口６３、一対のガイド溝部（図示省略）、下側ストッパ部（図示省略）、及び上側ストッパ部（図示省略）が設けられている。なお、これら流入出口６１、弁体収容部６２、挿通口６３、一対のガイド溝部、下側ストッパ部、及び上側ストッパ部は、第２シリンダ部４０の同一名称の構成要素と略同一に構成されているので、その詳細な説明を省略する。
【００４５】
（構成−多層建物−第１支持装置、第２支持装置、第３支持装置、第４支持装置−第５シリンダ部）
第５シリンダ部７０は、上下方向（Ｚ方向）に移動する移動体であり、第２シリンダ部４０と略同様に構成されている（ただし、図２に示すように中実状の円柱体にて形成されている）。また、図２に示すように、この第５シリンダ部７０は、当該第５シリンダ部７０の一部が第４シリンダ部６０の内部に収容されており、当該第５シリンダ部７０の長手方向が上下方向（Ｚ方向）に略沿うように配置されていると共に、上下方向（Ｚ方向）に沿って移動可能に配置されている。そして、この第５シリンダ部７０は、第１床部１１ｄに形成された取付孔（図示省略）に挿通された状態で当該第１床部１１ｄと接続されている。
【００４６】
また、この第５シリンダ部７０には、一対のガイド溝部及びストッパ部が設けられている（いずれも図示省略）。なお、これら一対のガイド溝部及びストッパ部は、第２シリンダ部４０の同一名称の構成要素と略同一に構成されているので、その詳細な説明を省略する。また、上述した「第２シリンダ部４０」、「第３シリンダ部５０」、「第４シリンダ部６０」、及び「第５シリンダ部７０」は、特許請求の範囲における「少なくとも２つ以上のシリンダ部」に対応する。
【００４７】
（構成−多層建物−第１支持装置、第２支持装置、第３支持装置、第４支持装置−昇降機構）
昇降機構８０は、第２シリンダ部４０、第３シリンダ部５０、第４シリンダ部６０、及び第５シリンダ部７０のうち隣接するシリンダ部同士の相互間に流体を流入出させることによって、第２シリンダ部４０、第３シリンダ部５０、第４シリンダ部６０、及び第５シリンダ部７０の少なくともいずれか１つが上下方向（Ｚ方向）に向けて移動することにより、第１床部１１ａ〜１１ｄの少なくともいずれか１つを昇降させる昇降手段である。ここで、「流体」とは、流動性を有するものであり、例えば、オイル等の液体、空気等の気体等が該当するが、実施の形態では、オイルとして説明する。また、この昇降機構８０は、図２、後述する図５に示すように、操作部（図示省略）、ポンプ部（図示省略）、第１弁体８１、第２弁体８２、第３弁体８３、第１弁体駆動部（図示省略）、第２弁体駆動部８５、第３弁体駆動部８６、ポンプ制御部（図示省略）、第１弁体制御部（図示省略）、第２弁体制御部（図示省略）、及び第３弁体制御部（図示省略）を備えている。
【００４８】
（構成−多層建物−第１支持装置、第２支持装置、第３支持装置、第４支持装置−昇降機構−操作部）
操作部は、支持装置１に対する操作入力を受け付ける操作手段である。この操作部は、例えば有線式の操作スイッチや無線式のリモコン装置を用いて構成されており、制御部と直接的又は間接的に通信可能に接続されている。
【００４９】
（構成−多層建物−第１支持装置、第２支持装置、第３支持装置、第４支持装置−昇降機構−ポンプ部）
ポンプ部は、第１シリンダ部３０、第２シリンダ部４０、第３シリンダ部５０、第４シリンダ部６０、及び第５シリンダ部７０のうち隣接するシリンダ部同士の相互間に流体を送出又は吸引するための送出吸引手段である。このポンプ部は、例えば公知のポンプ装置等を用いて構成されており、第１シリンダ部３０の近傍に配置されており、第１シリンダ部３０の第１流入出口３２に挿通された連通管８４を介して第１シリンダ部３０と接続されている。
【００５０】
（構成−多層建物−第１支持装置、第２支持装置、第３支持装置、第４支持装置−昇降機構−第１弁体、第２弁体、第３弁体）
第１弁体８１は、第１シリンダ部３０と第２シリンダ部４０との相互間に設けられた弁体であって、当該相互間に流体を流入出させるか否かを切り替え可能な弁体であり、図２に示すように、第２シリンダ部４０の弁体収容部４２に設けられている。第２弁体８２は、第２シリンダ部４０と第３シリンダ部５０との相互間に設けられた弁体であって、当該相互間に流体を流入出させるか否かを切り替え可能な弁体であり、図２に示すように、第３シリンダ部５０の弁体収容部５２に設けられている。第３弁体８３は、第３シリンダ部５０と第４シリンダ部６０との相互間に設けられた弁体であって、当該相互間に流体を流入出させるか否かを切り替え可能な弁体であり、図２に示すように、第４シリンダ部６０の弁体収容部６２に設けられている。
【００５１】
ここで、図５は、図２（ａ）の第２弁体８２及び第３弁体８３周辺の拡大図であり、（ａ）は、弁方式の弁体を示す図であり、（ｂ）は回転筒方式の弁体を示す図であり、（ｃ）は（ｂ）とは異なる回転筒方式の弁体を示す図である。図６は、図５（ｂ）の弁体の回転状態を示す図であり、（ａ）は、図５（ｂ）の第２弁体８２の回転状態を示す図であり、（ｂ）は、図５（ｂ）の第３弁体８３の回転状態を示す図である。これら第１弁体８１、第２弁体８２、及び第３弁体８３の具体的な構成については任意であるが、実施の形態では、図５（ａ）に示すように、弁方式の一対の弁体を用いて構成されており、対応する弁体収容部の内部において常時収容される位置に配置され、対応する弁体収容部に対して回転可能に接続されている。このような構成により、例えば、図５（ａ）に示すように、第２弁体８２によって弁体収容部５２の一対の流入出口９０が閉鎖され、弁体収容部５２の上端部及び下端部の開口部が開放されるように第２弁体８２を回転させた場合には、第２シリンダ部４０と第３シリンダ部５０との相互間に流体を流入出させないようにできると共に、第４シリンダ部６０の弁体収容部６２に流体を流入出させることができる。一方で、第３弁体８３によって弁体収容部６２の上端部及び下端部の開口部が閉鎖され、弁体収容部６２の一対の流入出口９０が開放されるように第３弁体８３を回転させた場合には、第３シリンダ部５０と第４シリンダ部６０との相互間に流体を流入出させることができると共に、第４シリンダ部６０に流体を流入出させないようにできる。
【００５２】
ただし、上述した弁体の構成に限らず、他の構成が採用されてもよい。例えば、図５（ｂ）、図５（ｃ）に示すように、第１弁体８１、第２弁体８２、及び第３弁体８３は、回転筒方式の弁体を用いて構成されており、対応する弁体収容部の内部において常時収容され、対応する弁体収容部に対して回転可能に接続されてもよい。
【００５３】
ここで、図５（ｂ）の第１弁体８１、第２弁体８２、及び第３弁体８３の具体的な構成は、以下に示す通りである。すなわち、各弁体は、中空状の円柱状体にて形成されており、各弁体の軸部が上下方向（Ｚ方向）に略沿うように配置されている。また、各弁体の上端部には第１開口部９１が設けられ、各弁体の下端部には第２開口部９２が設けられ、各弁体の側壁部には一対の第３開口部９３が設けられている。これら第１開口部９１、第２開口部９２、及び一対の第３開口部９３の設置方法については任意であるが、例えば、図６（ａ）に示すように、各弁体をＺ方向に沿う軸の軸回りに第１角度回転させた場合には、第１開口部９１を対応する弁体収容部の上端部の開口部９５と対応させ、且つ第２開口部９２を対応する弁体収容部の下端部の開口部９６と対応させるものの、一対の第３開口部９３を対応する弁体収容部の一対の流入出口９０と対応させず、図６（ｂ）に示すように、各弁体をＺ方向に沿う軸の軸回りに第２角度（第１角度とは異なる角度）回転させた場合には、第２開口部９２を対応する弁体収容部の下端部の開口部９６と対応させ、且つ一対の第３開口部９３を対応する弁体収容部の一対の流入出口９０と対応させるものの、第１開口部９１を対応する弁体収容部の上端部の開口部９５と対応させない位置に配置している。この場合には、図６に示すように、各弁体の第１開口部９１は、各弁体の上端部の中央位置から若干ずれた位置に配置されていると共に、対応する弁体収容部の上端部の開口部９５は、当該上端部の中央位置から若干ずれた位置に配置されている。このような構成により、例えば、図５（ｂ）、図６（ａ）に示すように、第２弁体８２をＺ方向に沿う軸の軸回りに第１角度回転させた場合には、第２シリンダ部４０と第３シリンダ部５０との相互間に流体を流入出させないようにできると共に、第４シリンダ部６０の弁体収容部６２に流体を流入出させることができる。一方で、図５（ｂ）、図６（ｂ）に示すように、第３弁体８３をＺ方向に沿う軸の軸回りに第２角度回転させた場合には、第３シリンダ部５０と第４シリンダ部６０との相互間に流体を流入出させることができると共に、第４シリンダ部６０に流体を流入出させないようにできる。
【００５４】
また、図５（ｃ）の第１弁体８１、第２弁体８２、及び第３弁体８３の具体的な構成は、以下に示す通りである。すなわち、各弁体は、中空状の円柱状体にて形成されており、各弁体の軸部が前後方向（Ｙ方向）に略沿うように配置されている。また、図５（ｃ）に示すように、各弁体の側壁部には第１開口部９１、第２開口部９２、及び第３開口部９３が設けられており、さらに対応する弁体収容部の側壁部には流入出口９４が設けられている。これら第１開口部９１、第２開口部９２、及び第３開口部９３の設置方法については任意であるが、例えば、図５（ｃ）に示すように、各弁体をＹ方向に沿う軸の軸回りに第１角度回転させた場合には、第１開口部９１を対応する弁体収容部の下端部の開口部と対応させ、且つ第２開口部９２を対応する弁体収容部の上端部の開口部と対応させるものの、第３開口部９３を対応する弁体収容部の流入出口９４と対応させず、各弁体をＹ方向に沿う軸の軸回りに第２角度（第１角度とは異なる角度）回転させた場合には、第１開口部９１を対応する弁体収容部の流入出口９４と対応させ、且つ第３開口部９３を対応する弁体収容部の下端部の開口部と対応させるものの、第２開口部９２を対応する弁体収容部の上端部の開口部と対応させない位置に配置している。このような構成により、例えば、図５（ｃ）に示すように、第２弁体８２をＹ方向に沿う軸の軸回りに第１角度回転させた場合には、第２シリンダ部４０と第３シリンダ部５０との相互間に流体を流入出させないようにできると共に、第４シリンダ部６０の弁体収容部６２に流体を流入出させることができる。一方で、第３弁体８３をＹ方向に沿う軸の軸回りに第２角度回転させた場合には、第３シリンダ部５０と第４シリンダ部６０との相互間に流体を流入出させることができると共に、第４シリンダ部６０に流体を流入出させないようにできる。
【００５５】
（構成−多層建物−第１支持装置、第２支持装置、第３支持装置、第４支持装置−昇降機構−第１弁体駆動部、第２弁体駆動部、第３弁体駆動部）
第１弁体駆動部は、第１弁体８１を駆動するための第１弁体駆動手段であり、第１シリンダ部３０と第２シリンダ部４０との相互間に設けられている。第２弁体駆動部８５は、第２弁体８２を駆動するための第２弁体駆動手段であり、図５に示すように、第２シリンダ部４０と第３シリンダ部５０との相互間に設けられている。第３弁体駆動部８６は、第３弁体８３を駆動するための第３弁体駆動手段であり、図５に示すように、第３シリンダ部５０と第４シリンダ部６０との相互間に設けられている。また、これら第１弁体駆動部、第２弁体駆動部８５、及び第３弁体駆動部８６の具体的な構成については任意であるが、例えば、公知の電磁式の弁体駆動部（一例として、ソレノイド等）を用いて構成されたり、又は、公知の油圧式の弁体駆動部（一例として、油圧ポンプ等）を用いて構成されており、図５に示すように、対応するシリンダ部の内部に配設された電線８７（又は油圧管）を介して対応する床部に設けられた図示しない動力源（一例として、電源部等）と接続されている。
【００５６】
（構成−多層建物−第１支持装置、第２支持装置、第３支持装置、第４支持装置−昇降機構−ポンプ制御部、第１弁体制御部、第２弁体制御部、第３弁体制御部）
ポンプ制御部は、ポンプ部を制御するポンプ制御手段であり、ポンプ部の近傍に設けられている。第１弁体制御部は、第１弁体駆動部を用いて第１弁体を制御する第１弁体制御手段であり、第１弁体駆動部の近傍に設けられている。第２弁体制御部は、第２弁体駆動部８５を用いて第２弁体を制御する第２弁体制御手段であり、第２弁体駆動部８５の近傍に設けられている。第３弁体制御部は、第３弁体駆動部８６を用いて第３弁体８３を制御する第２弁体制御手段であり、第３弁体駆動部８６の近傍に設けられている。これらポンプ制御部、第１弁体制御部、第２弁体制御部、及び第３弁体制御部の具体的な構成については任意であるが、実施の形態では、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えるコンピュータとして構成されている。なお、上述した「第１弁体制御部」、「第２弁体制御部」、及び「第３弁体制御部」は、特許請求の範囲の「弁体制御手段」に対応する。
【００５７】
このような昇降機構８０により、第１弁体８１、第２弁体８２、及び第３弁体８３の切り替えを容易且つ迅速に行うことができ、当該切り替えに要する手間を低減することが可能となる。
【００５８】
（構成−多層建物−第１支持装置、第２支持装置、第３支持装置、第４支持装置−その他の構成）
図１に戻り、この他にも、第１支持装置２１には、追加的な構造や機能を設けてもよい。具体的には、実施の形態においては、図１及び後述する図７に示すように、第１支持装置２１には、張り出し部１００、設置角度調整部（図示省略）、制振ダンパ（図示省略）、及び免震装置１１０が設けられている。
【００５９】
張り出し部１００は、第１床部１１ａ〜１１ｄから外側に向けて張り出すためのものである。この張り出し部１００は、第１床部１１ａ〜１１ｄの各々の下面（又は上面）において当該各床部の左側部分及び右側部分の各々に設けられており、複数のパネル部１０１及び一対のガイド部（図示省略）を備えている。このうち、複数のパネル部１０１は、鋼製の板状体にて形成されており、張り出し部１００の張り出し方向（例えば、上下方向（Ｚ方向））に向けて略沿うように並設配置されている。これら複数のパネル部１０１の具体的な構成については任意であるが、実施の形態では、張り出し部１００を、隣接する床部同士の相互間を仕切るための壁体及び隣接する床部の相互間を人が昇降するための階段として機能するように形成されており、一例として、複数のパネル部１０１のうち隣接するパネル部１０１同士がヒンジ部によって相互に回動可能に接続されることにより形成されている。また、このヒンジ部の具体的な構成については、複数のパネル部１０１が壁体又は階段として機能している場合には、パネル部１０１同士の接続角度を９０度程度に維持でき、複数のパネル部１０１が一対のガイド部に収容されている場合には、パネル部１０１同士の接続角度を１８０度程度維持できるように構成されている。また、一対のガイド部は、複数のパネル部１０１を張り出し部１００の張り出し方向に沿って移動するように案内するものであり、第１床部１１ａ〜１１ｄの各々の下面（又は上面）において、相互に間隔を隔ててガイド部の軸方向が左右方向（Ｘ方向）に略沿うように設けられている。このような張り出し部１００により、張り出し部１００（具体的には、複数のパネル部１０１）を壁体又は階段として機能させることができるので、用途に応じて張り出し部１００の機能を使い分けることが可能となる。
【００６０】
設置角度調整部は、第１床部１１ｄの設置角度を調整するための設置角度調整手段である。この設置角度調整部は、第１床部１１ｄと第５シリンダ部７０との相互間に設けられており、回転部及び一対の支持部を備えて構成されている（いずれも図示省略）。このうち、回転部は、第１床部１１ｄを回転させるためのものであり、例えばＹ方向に沿う軸の軸回り回転可能な公知のピン構造を用いて構成されている。また、一対の支持部は、当該支持部が伸縮可能なものであって、第１床部１１ｄを支持するためのものである。これら一対の支持部は、例えば公知のジャッキ装置（一例として、油圧ジャッキ等）を用いて構成されており、一対の支持部の一方が回転部よりも左側に位置し、一対の支持部の他方が回転部よりも右側に位置するように設けられている。このような設置角度調整部により、図１に示すように、必要に応じて第１床部１１ｄをＹ方向に沿う軸の軸回りに回転させることができ、第１床部１１ｄの設置角度を容易に調整することが可能となる。
【００６１】
制振ダンパは、第１支持装置２１又は当該第１支持装置２１と隣接する支持装置（例えば、第２支持装置２２）に作用する振動エネルギー（具体的には、水平方向の振動エネルギー）を吸収するためのダンパであり、例えば公知の制振ダンパを用いて構成されており、張り出し部１００の複数のパネル部１０１のうち最下方のパネル部１０１と当該パネル部１０１と隣接する床部（例えば、第２床部１２ａ〜１２ｄのいずれか）との相互間に設けられている。なお、この制振ダンパに代えて、免震装置（例えば公知のすべり支承構造）が設けられてもよく、一例として、上記下方のパネル部１０１の下面に設けられたすべり材（一例として、四フッ化エチレン樹脂（ＰＴＦＥ）  テフロン（登録商標））と、上記隣接する床部の上面に設けられた相手材であって、すべり材と当接可能な位置に配置された相手材（一例として、ステンレス材等）とを備えて構成されてもよい。
【００６２】
免震装置１１０は、第１支持装置２１に作用する振動エネルギー（具体的には、水平方向の振動エネルギー）を吸収するための装置である。この免震装置１１０は、例えば公知の免震装置（一例として、免震積層ゴム等）を用いて構成されており、図１に示すように、第１シリンダ部３０と第１領域Ａ１における凹部２の底部２ａとの相互間に設けられている。このような免震装置１１０により、第１支持装置２１に作用する振動エネルギーを吸収することができ、第１支持装置２１が振動することを抑制することができる。
【００６３】
以上のような多層建物１により、多層建物１を構成する複数の床部の高さを調整する場合に、従来技術（対象となる階層に設置されたジャッキを用いて当該対象となる階層と隣接する階層の床部を昇降させる技術）に比べて、当該調整に要する手間及び時間を低減することができ、建物の空間（具体的には、建物の内部空間や外部空間等）の高さを効率的に調整することが可能となる。また、第１支持装置２１、第２支持装置２２、第３支持装置２３、及び第４支持装置２４の各々の第２シリンダ部４０から第５シリンダ部７０を相互に同心状に配置しているので、第１支持装置２１、第２支持装置２２、第３支持装置２３、及び第４支持装置２４のコンパクト化を図ることが可能となる。
【００６４】
（構成−多層建物−第１支持装置、第２支持装置、第３支持装置、第４支持装置−第１支持装置等の作用について）
次に、第１支持装置２１、第２支持装置２２、第３支持装置２３、及び第４支持装置２４の各々の作用について説明する。ただし、これら第１支持装置２１、第２支持装置２２、第３支持装置２３、及び第４支持装置２４の各々の作用はそれぞれ略同一であるので、以下では、第１支持装置２１の作用のみについて説明することとする。また、この第１支持装置２１の作用の説明を行う前提としては、図２（ａ）に示すように、第２シリンダ部４０から第５シリンダ部７０の各々が最下方に位置していると共に、第１弁体８１によって第１シリンダ部３０の仕切部３１と第２シリンダ部４０の弁体収容部４２との相互間の隙間が閉鎖され、第２弁体８２によって第２シリンダ部４０の弁体収容部４２と第３シリンダ部５０の弁体収容部５２との相互間の隙間が閉鎖され、且つ、第３弁体８３によって第３シリンダ部５０の弁体収容部５２と第４シリンダ部６０の弁体収容部６２との相互間の隙間が閉鎖されているとして説明する。
【００６５】
例えば、まず、昇降機構８０の操作部を介して所定操作が行われることにより、第１弁体制御部から第３弁体制御部によって第１弁体８１から第３弁体８３の状態を維持するように制御しながら、ポンプ制御部によって、第１シリンダ部３０の第２収容空間３８、第２シリンダ部４０の弁体収容部４２、第３シリンダ部５０の弁体収容部５２、及び第４シリンダ部６０の弁体収容部６２を介して第４シリンダ部６０と第５シリンダ部７０との相互間にポンプ部から送られた流体を流入させると、図２（ｂ）に示すように、第５シリンダ部７０のみを上方に移動させることができる。次に、昇降機構８０の操作部を介して所定操作が行われることにより、第１弁体制御部から第３弁体制御部によって第３シリンダ部５０の弁体収容部５２と第４シリンダ部６０の弁体収容部６２との相互間の隙間のみを開放させるように第１弁体８１から第３弁体８３を制御して、ポンプ制御部によって第３シリンダ部５０と第４シリンダ部６０との相互間にポンプ部から送られた流体をさらに流入させると、図２（ｃ）に示すように、第４シリンダ部６０及び第５シリンダ部７０をさらに上方に移動させることができる。続いて、昇降機構８０の操作部を介して所定操作が行われることにより、第１弁体制御部から第３弁体制御部によって第１シリンダ部３０の仕切部３１と第２シリンダ部４０の弁体収容部４２との相互間の隙間のみを開放させるように第１弁体８１から第３弁体８３を制御して、ポンプ制御部によって第１シリンダ部３０と第２シリンダ部４０との相互間にポンプ部から送られた流体をさらに流入させると、図２（ｄ）に示すように、第２シリンダ部４０から第５シリンダ部７０をさらに上方に移動させることができる。
【００６６】
また、図２（ｄ）に示すように、第１床部１１ａ〜１１ｄが位置している場合において、昇降機構８０の操作部を介して所定操作が行われることにより、第１弁体制御部から第３弁体制御部によって第１シリンダ部３０の仕切部３１と第２シリンダ部４０の弁体収容部４２との相互間の隙間のみを開放させるように第１弁体８１から第３弁体８３を制御して、ポンプ制御部によって第２シリンダ部４０から第５シリンダ部７０の自重を利用して第１シリンダ部３０と第２シリンダ部４０との相互間に流入された流体をポンプ部に吸引させると、図２（ｃ）に示すように、第２シリンダ部４０から第５シリンダ部７０を下方に移動させることができる。次に、昇降機構８０の操作部を介して所定操作が行われることにより、第１弁体制御部から第３弁体制御部によって第３シリンダ部５０の弁体収容部５２と第４シリンダ部６０の弁体収容部６２との相互間の隙間のみを開放させるように第１弁体８１から第３弁体８３を制御して、ポンプ制御部によって第４シリンダ部６０及び第５シリンダ部７０の自重を利用して第３シリンダ部５０と第４シリンダ部６０との相互間に流入された流体をポンプ部に吸引させると、図２（ｂ）に示すように、第４シリンダ部６０及び第５シリンダ部７０をさらに下方に移動させることができる。続いて、昇降機構８０の操作部を介して所定操作が行われることにより、第１弁体制御部から第３弁体制御部によって第１弁体８１から第３弁体８３の状態が上記前提の状態となるように第１弁体８１から第３弁体８３を制御しながら、ポンプ制御部によって第５シリンダ部７０の自重を利用して第４シリンダ部６０と第５シリンダ部７０との相互間に流入された流体をポンプ部に吸引させると、図２（ａ）に示すように、第５シリンダ部７０をさらに下方に移動させることができる。
【００６７】
以上のような第１支持装置２１の作用により、操作者が昇降機構８０の操作部を操作するだけで、第１床部１１ａ〜１１ｄを昇降させることができ、第１床部１１ａ〜１１ｄの昇降に要する手間を低減することができる。
【００６８】
（多層建物の空間の高さを調整する方法）
続いて、多層建物１の空間の高さを調整する方法について説明する。図７は、多層建物１の空間の高さを後述する第２状態に調整したことを示す図である（一部断面図で示す）。
【００６９】
例えば、図１に示すように、多層建物１の空間の高さが第１状態に調整されている場合において、以下の通りに第１支持装置２１から第４支持装置２４を作用させることにより、多層建物１の空間の高さを図７に示す状態（以下、「第２状態」と称する）に調整することができる。すなわち、まず、第１支持装置２１から第４支持装置２４の各々の昇降機構８０の操作部を介して所定操作が行われることで、第１支持装置２１から第４支持装置２４の各々の各シリンダ部を上下方向（Ｚ方向）に移動させることにより、第１床部１１ａ〜１１ｄ、第２床部１２ａ〜１２ｄ、第３床部１３ａ〜１３ｄ、及び第４床部１４ａ〜１４ｄを図７に示す位置までそれぞれ昇降させる。次に、第１床部１１ａ、１１ｃ、１１ｄ、第２床部１２ａ〜１２ｃ、第３床部１３ｂ、１３ｃ、及び第４床部１４ｂの各々から張り出し部１００が張り出すことにより、第１床部１１ｃ、１１ｄの張り出し部１００を壁体として機能させると共に、第１床部１１ａ、１１ｃ、第２床部１２ａ〜１２ｃ、第３床部１３ｂ、１３ｃ、及び第４床部１４ｂの張り出し部１００を階段として機能させる。続いて、第２支持装置２２の設置角度調整部によって第２床部１２ｄを傾斜させると共に、第４支持装置２４の設置角度調整部によって第４床部１４ｄを傾斜させる。
【００７０】
このような第１支持装置２１、第２支持装置２２、第３支持装置２３、及び第４支持装置２４の作用によって、第１床部１１ａ〜１１ｄ、第２床部１２ａ〜１２ｄ、第３床部１３ａ〜１３ｄ、及び第４床部１４ａ〜１４ｄを昇降させることにより、図７に示すような多層建物１の空間の高さを調整することができ、当該調整を効率的に行うことが可能となる。
【００７１】
（実施の形態の効果）
このように実施の形態によれば、第１支持装置２１、第２支持装置２２、第３支持装置２３、及び第４支持装置２４の各々が、上下方向（Ｚ方向）に向けてそれぞれ移動可能に設けられた第２シリンダ部４０から第５シリンダ部７０と、第２シリンダ部４０から第５シリンダ部７０のうち隣接するシリンダ部同士の相互間に流体を流入出させることによって、第２シリンダ部４０から第５シリンダ部７０の少なくともいずれか１つが上下方向（Ｚ方向）に向けて移動することにより、複数の床部の少なくともいずれか１つを昇降させる昇降機構８０と、を備えているので、多層建物１を構成する複数の床部の高さを調整する場合に、従来技術（対象となる階層に設置されたジャッキを用いて当該対象となる階層と隣接する階層の床部を昇降させる技術）に比べて、当該調整に要する手間及び時間を低減することができ、建物の空間（具体的には、建物の内部空間や外部空間等）の高さを効率的に調整することが可能となる。また、第１支持装置２１、第２支持装置２２、第３支持装置２３、及び第４支持装置２４の各々の第２シリンダ部４０から第５シリンダ部７０を相互に同心状に配置しているので、第１支持装置２１、第２支持装置２２、第３支持装置２３、及び第４支持装置２４のコンパクト化を図ることが可能となる。
【００７２】
また、昇降機構８０が、第２シリンダ部４０から第５シリンダ部７０のうち隣接するシリンダ部同士の相互間に設けられた第１弁体８１から第３弁体８３であって、当該相互間に流体を流入出させるか否かを切り替え可能な第１弁体８１から第３弁体８３と、第１弁体８１から第３弁体８３を制御するための第１弁体制御部から第３弁体制御部と、を備えたので、第１弁体８１から第３弁体８３の切り替えを容易且つ迅速に行うことができ、当該切り替えに要する手間を低減することが可能となる。
【００７３】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００７５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７６】
（床部について）
上記実施の形態では、４組の床部（具体的には、第１床部１１ａ〜１１ｄから第４床部１４ａ〜１４ｄ）が左右方向（Ｘ方向）に沿って並設されていると説明したが、これに限られない。例えば、３組以下の床部が左右方向（Ｘ方向）に並設されてもよく、あるいは、第１領域Ａ１の凹部２に設置可能であれば、５組以上の床部が左右方向（Ｘ方向）又は前後方向（Ｙ方向）に並設されてもよい。このような場合には、床部の組数に応じて支持装置の設置個数も増減させる。
【００７７】
また、上記実施の形態では、各支持装置に対して４つの床部（例えば、第１支持装置２１の場合には第１床部１１ａ〜１１ｄ等）が設けられていると説明したが、これに限られない。例えば、各支持装置に対して３つ以下の床部が設けられてもよく、あるいは、５つ以上の床部が設けられてもよい。このような場合には、床部の個数に応じて支持装置のシリンダ部の個数、弁体の個数、弁体駆動部の個数、及び弁体制御部の個数も増減させる。
【００７８】
（支持装置について）
上記実施の形態では、図４に示すように、各支持装置の第１シリンダ部３０から第５シリンダ部７０のＸ−Ｙ平面に沿った断面の外縁形状が円形状にそれぞれ形成されている、すなわち、これら第１シリンダ部３０から第５シリンダ部７０のＸ−Ｙ平面に沿った断面の外縁形状が相似形に形成されていると説明したが、これに限られない。例えば、これら第１シリンダ部３０から第５シリンダ部７０のＸ−Ｙ平面に沿った断面の外縁形状が非相似形に形成されてもよく、一例として、第１シリンダ部３０のＸ−Ｙ平面に沿った断面の外縁形状が円形に形成され、それ以外のシリンダ部のＸ−Ｙ平面に沿った断面の外縁形状が多角形状（一例として、三角形、四角形、五角形等）に形成されてもよい。
【００７９】
また、上記実施の形態では、各支持装置は、張り出し部１００、設置角度調整部、制振ダンパ、及び免震装置１１０を備えていると説明したが、これに限らず、例えば、張り出し部１００、設置角度調整部、制振ダンパ、又は免震装置１１０の少なくともいずれか１つを省略してもよい。
【００８０】
（張り出し部について）
上記実施の形態では、張り出し部１００の複数のパネル部１０１が、壁体及び階段として機能するように形成されていると説明したが、これに限られない。例えば、張り出し部１００の用途が限定されている場合には、壁体又は階段のいずれか一方のみとして機能するように形成されてもよい。
【００８１】
（設置角度調整部について）
上記実施の形態では、設置角度調整部の回転部が、Ｙ方向に沿う軸の軸回りのみに回転させることが可能なピン構造を用いて構成されていると説明したが、これに限らず、例えば、３６０度回転できるような回転構造（一例として、ピボット支承構造等）を用いて構成されてもよい。
【００８２】
また、上記実施の形態では、設置角度調整部の支持部が、床部を昇降可能に支持するように構成されていると説明したが、これに限らず、例えば、単に床部を支持するものであってもよい。この場合における床部の設置角度の調整方法については、例えば、クレーンやジャッキ等によって床部を所定の角度に傾けた後、その角度を維持できる複数の支持部によって床部を支持させること等が該当する。
【００８３】
（付記）
付記１の支持装置は、多層建物を構成する複数の床部であり、上下方向に向けて並設された複数の床部を昇降可能に支持するための支持装置であって、上下方向に向けてそれぞれ移動可能に設けられ、且つ相互に同心状に配置された少なくとも２つ以上のシリンダ部であって、当該少なくとも２つ以上のシリンダ部の各々が前記複数の床部のうちそれぞれ異なる前記床部と接続されている少なくとも２つ以上のシリンダ部と、前記少なくとも２つ以上のシリンダ部のうち隣接するシリンダ部同士の相互間に流体を流入出させることによって、前記少なくとも２つ以上のシリンダ部の少なくともいずれか１つが上下方向に向けて移動することにより、前記複数の床部の少なくともいずれか１つを昇降させる昇降手段と、を備えた。
【００８４】
付記２の支持装置は、付記１に記載の支持装置において、前記昇降手段は、前記隣接するシリンダ部同士の相互間に設けられた弁体であって、当該相互間に前記流体を流入出させるか否かを切り替え可能な弁体と、前記弁体を制御するための弁体制御手段と、を備えた。
【００８５】
付記３の多層建物は、付記１又は２に記載の多層建物において、上下方向に向けて並設された複数の床部と、前記請求項１又は２に記載の少なくとも１つ以上の支持装置であって、前記複数の床部を昇降可能に支持するための支持装置と、を備えた。
【００８６】
（付記の効果）
付記１に記載の支持装置、及び付記３に記載の多層建物によれば、上下方向に向けてそれぞれ移動可能に設けられた少なくとも２つ以上のシリンダ部と、少なくとも２つ以上のシリンダ部のうち隣接するシリンダ部同士の相互間に流体を流入出させることによって、少なくとも２つ以上のシリンダ部の少なくともいずれか１つが上下方向に向けて移動することにより、複数の床部の少なくともいずれか１つを昇降させる昇降手段と、を備えているので、多層建物を構成する複数の床部の高さを調整する場合に、従来技術（対象となる階層に設置されたジャッキを用いて当該対象となる階層と隣接する階層の床部を昇降させる技術）に比べて、当該調整に要する手間及び時間を低減することができ、建物の空間（具体的には、建物の内部空間や外部空間等）の高さを効率的に調整することが可能となる。また、少なくとも２つ以上のシリンダ部を相互に同心状に配置しているので、支持装置のコンパクト化を図ることが可能となる。
【００８７】
付記２に記載の支持装置によれば、昇降手段が、隣接するシリンダ部同士の相互間に設けられた弁体であって、当該相互間に流体を流入出させるか否かを切り替え可能な弁体と、弁体を制御するための弁体制御手段と、を備えたので、弁体の切り替えを容易且つ迅速に行うことができ、当該切り替えに要する手間を低減することが可能となる。
【符号の説明】
【００８８】
１  多層建物
２  凹部
２ａ  底部
２ｂ  側壁部
１１ａ〜１１ｄ  第１床部
１２ａ〜１２ｄ  第２床部
１３ａ〜１３ｄ  第３床部
１４ａ〜１４ｄ  第４床部
２１  第１支持装置
２２  第２支持装置
２３  第３支持装置
２４  第４支持装置
３０  第１シリンダ部
３１  仕切部
３２  第１流入出口
３３  第２流入出口
３４  挿通口
３５  ガイド溝部
３６  ストッパ部
３７  第１収容空間
３８  第２収容空間
４０  第２シリンダ部
４１  流入出口
４２  弁体収容部
４３  挿通口
４４  ガイド溝部
４５  下側ストッパ部
４６  上側ストッパ部
５０  第３シリンダ部
５１  流入出口
５２  弁体収容部
５３  挿通口
６０  第４シリンダ部
６１  流入出口
６２  弁体収容部
６３  挿通口
７０  第５シリンダ部
８０  昇降機構
８１  第１弁体
８２  第２弁体
８３  第３弁体
８４  連通管
８５  第２弁体駆動部
８６  第３弁体駆動部
８７  電線
９０  流入出口
９１  第１開口部
９２  第２開口部
９３  第３開口部
９４  流入出口
９５  開口部
９６  開口部
１００  張り出し部
１０１  パネル部
１１０  免震装置
Ａ１  第１領域
Ａ２  第２領域
Ａ３  第３領域
【図１】
2018204387.tif 000003
【図２】
2018204387.tif 000004
【図３】
2018204387.tif 000005
【図４】
2018204387.tif 000006
【図５】
2018204387.tif 000007
【図６】
2018204387.tif 000008
【図７】
2018204387.tif 000009